(57)【要約】【課題】  ミシンの設定等、縫製作業準備段階における操作性を向上させることのできるミシンＭの画面表示システムを提供する。【解決手段】  データを表示可能な表示部と、前記データを種々操作可能な操作部とを有する複数台のミシンＭを通信手段を介して接続しておき、１のミシンＭにおいて前記操作部としてのパネルの操作を行なう場合に、前記１のミシンＭと該１のミシンＭに接続された１台以上のミシンＭのうちの１台以上のミシンＭにおける表示部を利用して、所望の各種を表示する。【選択図】      図１
2009136473.tif 000002
【特許請求の範囲】
【請求項１】
ミシンの縫製に関わる情報の入力設定を行なう操作部と、前記ミシンの各種情報を表示する表示部とからなる表示装置をそれぞれ備えた複数台のミシンを、互いに通信手段を介して接続してなるミシンの画面表示システムにおいて、
いすれか１台のミシンの縫製に関わる情報の入力設定を行なう際の表示情報を、接続された他のミシンのうちの１台以上のミシンの表示装置に転送し、転送元のミシンの表示情報を転送先のミシンの表示装置の表示部に表示する表示制御部を備えたことを特徴とするミシンの画面表示システム。
【請求項２】
各ミシンの表示装置は、他のミシンから転送される表示用データの受信の可否を設定可能とされており、
前記表示制御部は、他のミシンに設定されている表示用データの受信の可否を判別することを特徴とする請求項１に記載のミシンの画面表示システム。
【請求項３】
前記表示制御部は、所定の表示制御中において、前記表示用データの受信を強制的に不可とする制御を行なうことを特徴とする請求項２に記載のミシンの画面表示システム。
【請求項４】
表示用データが受信可能と判断されたミシンの中から前記表示用データの表示に供される表示装置を備えた１台乃至複数台のミシンを選択可能とされていることを特徴とする請求項２または請求項３に記載のミシンの画面表示システム。
【発明の詳細な説明】
【技術分野】
【０００１】
本発明は、他のミシンの表示部を利用して所望の画面表示を行なうミシンの画面表示システムに関する。
【背景技術】
【０００２】
従来、データに基づく電子制御により縫製動作が定められるミシンでは、オペレータの操作により、このデータを入力したり、内容を確認したりするための表示画面を表示する表示装置が設けられている。このデータは、ミシンが所定の動作となるために必要となる多数の設定項目データからなる。従来の表示装置は、例えば、データを入力するための画面を表示する表示部（例えば、液晶（ＬＣＤ）パネル、ＣＲＴ表示器など）、データを入力する操作部（例えば、スイッチなど）、データに基づいてミシンの縫製動作を所定に制御するＣＰＵと、必要となるデータが格納される半導体メモリ、などから構成される。これにより、オペレータは表示装置の表示画面からデータを設定できる。そして、設定されたデータに基づいて、ＣＰＵが各種アクチュエータを制御し、定められた縫製動作がなされる。
【０００３】
ここで、表示部が比較的小型の場合やデータ量が多い場合には、データは複数画面として構成される場合が多く、オペレータは、例えば、次頁キーや前頁キーを操作することで頁を順に繰って、必要なデータの収集や設定が可能な頁を表示し、パラメータの設定や設定内容の確認などを行なうようになっていた（特許文献１参照）。
【０００４】
【特許文献１】特開２００２−１８１６４号公報
【発明の開示】
【発明が解決しようとする課題】
【０００５】
しかしながら、前述のミシンの表示装置は、必要なデータが複数の画面に亘って表示される場合等には、同時に複数頁の表示が不可能であったため、頁を前後させて表示させる操作をして画面を切換えなければならず、煩雑であったため、操作性の面で改良の必要があった。
【０００６】
また、近年では、入力操作用の表示がなされた表示画面にタッチすることで、所望のデータ入力を可能とするタッチパネルを利用し、前記表示部と操作部との役割を１つのパネルで機能させる構成も多い。
【０００７】
また、工業用のミシンは、１つの作業エリアに複数台が配設されている場合が多い。
【０００８】
そこで、本発明は、いずれか１台のミシンの縫製作業の設定時等に他のミシンの表示部を利用して必要な画面の表示を行うことを可能とするミシンの画面表示システムを提供することを目的とする。
【課題を解決するための手段】
【０００９】
上記目的を達成するため、本発明に係るミシンの画面表示システムは、ミシンの縫製に関わる情報の入力設定を行なう操作部と、前記ミシンの各種情報を表示する表示部とからなる表示装置をそれぞれ備えた複数台のミシンを、互いに通信手段を介して接続してなるミシンの画面表示システムにおいて、いずれか１台のミシンの縫製に関わる情報の入力設定を行なう際の表示情報を、接続された他のミシンのうちの１台以上のミシンの表示装置に転送し、転送元のミシンの表示情報を転送先のミシンの表示装置の表示部に表示する表示制御部を備えたことを特徴とする。
【００１０】
このように、複数台のミシンを通信手段を介して相互に接続しておき、画面を表示する際に他のミシンの表示部を利用するように制御することにより、簡便かつ廉価に、マルチディスプレイ方式の表示が可能となる。
【００１１】
さらに、本発明に係るミシンの画面表示システムは、各ミシンの表示装置は、他のミシンから転送される表示用データの受信の可否を設定可能とされており、前記表示制御部は、他のミシンに設定されている表示用データの受信の可否を判別することを特徴とする。
【００１２】
このように表示用データの受信の可否を設定可能とすることで、各ミシンは、自己のミシンの表示部を他のミシンの制御から独立させて使用することも可能であるし、他のミシンの制御による利用に供することも可能となる。
【００１３】
また、前記表示制御部において、他のミシンに設定されている表示用データの受信の可否を判別することで、他のミシンの制御から独立させて使用することが望まれているミシンを除外して、表示を制御することが可能となる。
【００１４】
またさらに、前記表示制御部は、所定の表示制御中において、前記表示用データの受信を強制的に不可とする制御を行なうことを特徴とする。
【００１５】
このように、例えば、ミシンにおいて、表示部を利用して行われることが必須である操作部の操作中に、他のミシンからの表示データの受信を不可とし、アクセスを拒否するように構成することで、該ミシンにおける誤操作や表示部の表示不良等を防止することができる。
【００１６】
そして、本発明に係るミシンの画面表示システムは、表示用データが受信可能と判断されたミシンの中から前記表示用データの表示に供される表示装置を備えた１台乃至複数台のミシンを選択可能とされていることを特徴とする。
【００１７】
このように、データの表示に利用可能である状態のミシンの中から実際に表示用データを表示させる複数台のミシンの表示装置を選択するように構成すれば、ユーザーフレンドリーなマルチディスプレイ方式の表示を行なうことができる。
【発明の効果】
【００１８】
本発明のミシンの画面表示システムによれば、１台のミシンの縫製作業の設定時等に、オペレータの周辺に配置された他のミシンの表示装置の表示部をも利用してマルチディスプレイ方式で必要な画面の表示を行うることも可能となり、画面の切換え操作を要さずに、同時に必要な表示画面を表示させておくことができるので、各ミシンにおける設定等、縫製作業準備段階における操作性を向上させることができる。
【発明を実施するための最良の形態】
【００１９】
本発明のミシンの画面表示システムについて図１乃至図５に基づいて説明する。
【００２０】
本実施形態におけるミシンの画面表示システムは、図１に示すように、ハブ１ａやケーブル１ｂ等からなる通信手段１を介して相互にデータ交換可能に接続された複数台のミシンＭの表示装置２から構成される。
【００２１】
各ミシンＭの表示装置２は、オペレータがデータを設定するために操作するデータ画面を表示する表示部およびデータを種々操作可能な操作部として作用するパネルと、選択されたプログラムに基づいて各種処理を行なう制御部（ＣＰＵ：Central Processing Unit）と、ミシンＭを制御するためのプログラムやこのプログラムで必要となる各種データ（データを含む）などが記憶される記憶部（記憶手段）とを備えている。
【００２２】
前記パネルは、ＣＲＴ（Cathode Ray Tube）、ＬＣＤ（Liquid Crystal Display）等により構成され、ＣＰＵの表示制御に従い、ＣＰＵから入力されるデータを表示して表示部として機能し、テンキー等が表示された状態でのパネル表面の押圧操作により操作部として機能する。
【００２３】
前記ＣＰＵ及び記憶部はミシンＭの駆動にも供される。即ち、該表示装置１が備えられるミシンＭは、該ミシンＭの駆動源となるミシンＭモータと、縫製物を搬送する縫製物搬送装置などを動作させる各種アクチュエータが設けられる。これら各種アクチュエータは、Ｉ／Ｏポートおよびドライバを介してＣＰＵに接続され、このＣＰＵの制御のもとで所定に動作する。
【００２４】
ＣＰＵは、操作部としての表示装置２のパネルから入力される各種データを処理して記憶部内に格納する。また、記録部には各種プログラムが記憶されている。そして、ＣＰＵは、指定されたプログラムに従って、記憶部内に格納された各種データに応じた各種処理を実行し、この処理結果を記憶部内にさらに格納すると共に、この処理結果を表示部としてのパネルに出力する。
【００２５】
そして、さらに、本実施形態におけるミシンＭの表示制御部として機能する前記ＣＰＵは、前記操作部としてのパネルの操作に応じたデータを、該ミシンＭと該ミシンＭに接続された複数台のミシンＭのうちの１台以上のミシンＭの表示部としてのパネルにおいて表示するように、前記データの表示に供される表示部を備えたミシンＭ毎の前記データの表示に関する個別表示データを作成する表示データ作成手段、および該ミシンＭの表示部としてのパネルに前記個別表示データ等を出力する表示出力手段として機能する。
【００２６】
その際、本実施形態における前記ＣＰＵにおいて作成される個別表示データは、前記データの表示に供される表示部としてのパネルを備えた１台乃至複数台のミシンＭの前記パネルを利用して、複数の表示部に別々を表示するデュアルデスクトップ方式、複数の表示部を１台のモニタに見立ててデータ画面を表示するビッグデスクトップ方式あるいは複数の表示部に全く同じ画面を表示するクローンデスクトップ方式のいずれかの表示方式とされており、前記表示方式の選択は、前記操作部としてのパネルの操作によって行なう。
【００２７】
また、本実施形態において、ある１つのミシンＭのＣＰＵは、作成された個別表示データ等を対応する他のミシンＭへ随時前記通信手段を介して転送する転送手段、他のいずれかのミシンＭから転送される個別表示データの受信の可否を制御する受信設定手段、および、他のミシンＭにおける受信の可否を判別する判別手段として機能する。
【００２８】
すなわち、ミシンＭのオペレータは予め、操作部としてのパネルを操作し、該ミシンの表示装置２のパネルについて、該ミシンのための表示のみを行い、他のミシンのための表示には用いないことを希望する場合には、他のミシンから転送される個別表示データの受信を不可とする旨の不許可フラグを立てる。逆に、他のミシンのための表示にも用いることを希望する場合には、他のミシンから転送される個別表示データの受信を可とする旨の許可フラグを立てる。この許可フラグ、不許可フラグは記憶部に記憶しておく。
【００２９】
前記受信設定手段は、各ミシンの許可フラグまたは不許可フラグの設定管理を行なう。
【００３０】
さらに、本実施形態において受信設定手段は、許可フラグを立てている場合であっても、各ミシンのパネルが操作部として操作中であるか否かを判断し、操作中である場合には、他のミシンから転送される個別表示データの受信を１時的に不可である旨の１時的不許可フラグを立てて、前記表示データの受信を拒否する。
【００３１】
そして、判別手段は、他のミシンにおいて、前記いずれのフラグが立っているかによって、個別表示データの受信の可否を判断する。この判断結果は、ＣＰＵによって、前記操作部における操作に反映されるべく、オペレータが任意の（例えば操作しているミシンの両隣に位置する）他のミシンを選択可能に表示部としてのパネルに表示される。
記憶部は、予めミシンを制御するためのプログラムおよびこのプログラムで使用されるデータが記憶されたＲＯＭ（Read Only Memory）と、操作部から入力されて新たに更新されたデータ、ＣＰＵがプログラムに基づいてミシンを制御するときに必要となる各種データなどのデータがＣＰＵの制御のもとで格納されるＲＡＭ（Random Access Memory）とを備えて構成される。
【００３２】
次に、図２乃至図４を参照して、本実施形態のミシンの画面表示システムにおける要部である、操作部としての表示装置２のパネルの操作時における、画面表示の処理を説明する。
【００３３】
図２に示すように、先ず、操作部としてのパネルの操作により設定を確認・入力する対象となる、特定のミシンＭ（以後、該ミシンＭと記載する）の電源を投入し、初期画面を表示させる（ＳＴ１）。
【００３４】
該ミシンＭは、この状態で、該ミシンＭの次の操作または指令を待機する。
【００３５】
即ち、操作部としてのパネルの操作がなされるか（ＳＴ２）、接続された他のミシンＭから、該ミシンＭの表示部を利用する旨の信号（パネル選択信号）を受信するか（ＳＴ４）、ミシンＭの縫製作業が開始され、必要な画面表示を行うための表示信号を受信するか（ＳＴ６）、あるいは、ミシンＭの電源を切断する選択がなされたか（ＳＴ８）、を監視する（以下、この状態をミシンＭのアイドリング状態という）。
【００３６】
アイドリング中に操作部としてのパネルが操作されたか否かを判断し（ＳＴ２）、操作が判断されない場合には（ＳＴ２のＮＯ）、アイドリング状態における次の判断のステップ（ＳＴ４）に進む。
【００３７】
ここで、操作部としてのパネルが操作された場合（ＳＴ２のＹＥＳ）には、該ミシンＭの操作部操作用表示制御を行なう。
【００３８】
該ミシンＭの操作部操作用表示制御においては、ＣＰＵは、図３に示すように、先ず、接続された他のミシンＭからの割り込み処理を防止すべく、表示部としてのパネルへの表示信号の受信を不許可にするフラグが立っているかどうかを確認する（ＳＴ３０１）。他のミシンＭからのアクセスを許可にするか、不許可にするかはミシンＭの出荷時における初期設定あるいはその後の設定変更により、設定されている。よって、該ミシンＭにおいて、許可フラグが立っているか否かを確認し（ＳＴ３０１）、許可フラグが立っている場合には（ＳＴ３０１のＹＥＳ）、１時的に他のミシンＭからのアクセスを拒否する１時的不許可フラグを立て（ＳＴ３０２）、次ステップ（ＳＴ３０３）に進む。
【００３９】
一方、該ミシンＭが不許可フラグを立てている場合には（ＳＴ３０１のＮＯ）、そのまま次ステップ（ＳＴ３０３）に進む。
【００４０】
この次ステップ（ＳＴ３０３）においては、操作部としてのパネルの操作による必要な情報の画面表示を複数パネルを用いて行なうか否かを入力する画面表示を行って回答の選択入力を促し、オペレータが複数のパネルを利用した表示（複数パネル表示）を希望しているか否かを判断する（ＳＴ３０３）。
【００４１】
ミシンＭに配設された表示部としてのパネルのみを用いた表示（単１（自）パネル表示）を希望していると判断された場合には（ＳＴ３０３のＮＯ）、後述する単１（自）パネル対応表示処理（ＳＴ３１２）へ進む。
【００４２】
また、複数パネル表示を希望していると判断された場合（ＳＴ３０３のＹＥＳ）、該ミシンＭに接続された他のミシンＭの表示装置２があるか否かを判断する（ＳＴ３０４）。即ち、ＵＳＢ通信等により、接続された他のミシンＭの表示装置２を検索する。
【００４３】
この時点で、接続された他のミシンＭの表示装置２が無いと判断された場合には（ＳＴ３０４のＮＯ）、後述する単１（自）パネル対応表示処理（ＳＴ３１２）へ進む。
【００４４】
そして次に、接続された他のミシンＭの表示装置２があると判断された場合（ＳＴ３０４のＹＥＳ）、ＣＰＵの前記判別手段により、他の電子制御ミシンＭの表示装置２に設定されたフラグ状態を確認する。
【００４５】
即ち、これらの１台乃至複数台のパネルが、他のミシンＭからの表示要求を受け入れるか否か、つまり、各パネルについて立っているフラグは許可フラグが、不許可フラグかを判断する（ＳＴ３０５）。
【００４６】
接続されたパネルが１つも他のミシンＭからの表示要求を受け入れる態勢にない、即ち、全パネルにおいて不許可フラグが立っていると判断された場合には（ＳＴ３０５のＮＯ）、後述する単１（自）パネル対応表示処理（ＳＴ３１２）へ進む。
【００４７】
また、接続されたパネルの１台以上に、他のミシンＭからの表示要求を受け入れる態勢がある、すなわち許可フラグが立っていると判断された場合には（ＳＴ３０５のＹＥＳ）、次に、それらのパネルを選択可能に該ミシンＭのパネルに表示して、複数パネル表示に供するパネルの選択入力を促し、オペレータが利用を望むパネルを決定する（ＳＴ３０６）。
【００４８】
その際、選択したパネルが複数台である場合には、その複数台のパネルを用いたマルチディスプレイの表示方式、すなわち、デュアルデスクトップ方式、ビッグデスクトップ方式あるいはクローンデスクトップ方式のいずれかの方式の選択も行なう。
【００４９】
例えば、操作部を操作しているミシンＭの両隣に位置する他の２台のミシンＭを当該操作中のミシンＭの送り先として選択し、当該他の２台のミシンＭに接続されたパネルを選択するとともに、デュアルデスクトップ方式で表示する選択を入力すれば、この両隣のミシンＭの２台のパネルに、転送元のミシンＭの表示情報をそれぞれ異なる表示画面に表示しつつ、操作部としてのパネルの操作を行なうことができる。
【００５０】
次に、決定した１台乃至複数台のパネルに対し、該ミシンＭの操作部操作にパネルを使用する旨の信号（表示パネル選択信号）を送信し、表示データの受信を待機させる（ＳＴ３０７）。なお、選択・決定されたパネル側の制御については後述する。
【００５１】
そして、該ミシンＭの制御部においては、該ミシンＭの表示装置２のパネルには操作部としての画面を表示して、タッチパネルとして機能させるとともに、表示データ作成手段としてのＣＰＵは、選択された他のミシンＭのパネルにおいて該操作部としてのパネルの操作に応じた表示画面を表示するためのデータ（表示情報）を作成し、転送手段としてのＣＰＵは、作成されたデータを転送先の他のミシンＭの各パネルへ送信する表示処理を行なう（ＳＴ３０８）。すなわち、転送手段としてのＣＰＵは転送先となる該ミシンＭの操作に応じた表示画面を表示する為のデータを転送先の他のミシンＭに転送する。
【００５２】
操作部としてのパネルの操作を終了する旨の信号が入力されるまで、前記表示処理を行い（ＳＴ３０９のＮＯ、ＳＴ３０８）、操作部操作の終了信号が入力されたら（ＳＴ３０９のＹＥＳ）、該ミシンＭのパネルに、１時的不許可フラグが立っているか否かを確認し（ＳＴ３１０）、１時的不許可フラグが立っていなければ（ＳＴ３１０のＮＯ）、該ミシンＭの操作部操作用表示制御を終了させ、再び、アイドリング状態に戻る。
【００５３】
また、１時的不許可フラグが立っていれば（ＳＴ３１０のＹＥＳ）、１時的不許可フラグを解除して、元の許可フラグに戻し（ＳＴ３１１）、該ミシンＭの操作部操作用表示制御を終了させ、再び、アイドリング状態に戻る。
【００５４】
１方、ステップＳＴ３０３、ＳＴ３０４、ＳＴ３０５においてＮＯと判断された場合には、複数パネル対応表示処理はしない、あるいは、できないので、該ミシンＭのパネルのみを用いた単１のパネル対応表示処理（単１（自）パネル対応表示処理）を行なう（ＳＴ３１２）。その際、該ミシンＭの制御部においては、該ミシンＭのパネルは、入力手段の１つであるタッチパネルとして機能させる場合と、設定状態や選択項目等の必要な画面表示を行なうモニタとして機能される場合との両機能を随時切換えて利用することとなる。
【００５５】
操作部としてのパネルの操作を終了する旨の信号が入力されるまで、前記表示処理を行い（ＳＴ３１３のＮＯ、ＳＴ３１２）、操作部操作の終了信号が入力されたら（ＳＴ３１３のＹＥＳ）、該ミシンＭのパネルに、１時的不許可フラグが立っているか否かを確認し（ＳＴ３１０）、１時的不許可フラグが立っていなければ（ＳＴ３１０のＮＯ）、該ミシンＭの操作部操作用表示制御を終了させ、再び、アイドリング状態に戻る。
【００５６】
また、１時的不許可フラグが立っていれば（ＳＴ３１０のＹＥＳ）、１時的不許可フラグを解除して元の許可フラグに戻し（ＳＴ３１１）、該ミシンＭの操作部操作用表示制御を終了させ、再び、アイドリング状態に戻る。
【００５７】
そして、該ミシンＭのフラグの設定において、許可フラグが設定されている場合において、他のミシンＭから、前述したと同様の方法にて、該ミシンＭのパネルについて、フラグ状態が検索され、該ミシンＭのパネルを複数液晶表示パネル表示に供するパネルとして選択された場合、該ミシンＭにおいては、次に説明する他のミシンＭの操作部操作時用表示制御を行なう。
【００５８】
ミシンＭのパネルを複数パネル表示に供する表示装置２として選択されたことは、アイドリング中においてパネル選択信号を受信したことで判断される（ST４のＹＥＳ）。
【００５９】
すなわち、アイドリング中にパネル選択信号を受信したか否かを判断し（ＳＴ４）、受信していない場合には（ＳＴ４１のＮＯ）、アイドリング状態における次の判断のステップに進む（ＳＴ６）。
【００６０】
パネル選択信号を受信した場合には（ＳＴ４のＹＥＳ）、図４に示す他のミシンＭの操作部操作時用表示制御を行なう。
【００６１】
この他のミシンＭの操作部操作時用表示制御においては、先ず、受信設定手段としてのＣＰＵにおいて１時的不許可フラグを立てる（ＳＴ５０１）。つまり、該ミシンＭにおいては、現在、許可フラグが立っているので該ミシンＭが他のミシンＭの転送先として選択され（該ミシンＭのパネルを複数パネル表示に供するパネルとして選択されたことからも明らかである）、他のミシンＭからの表示画面の利用に関する割り込みアクセス等を１時的に拒否するべく、１時的不許可フラグを立て（ＳＴ５０１）、他のミシンＭにおける表示部としての利用に供されるべく、待機する。
【００６２】
そして、他のミシンＭから送信される表示データを受信し（ＳＴ５０２）、その表示データに基づいてパネル表示を行なう（ＳＴ５０３）。
【００６３】
表示データの送信を終了する旨の信号が入力されるまで、すなわち、表示データの受信が終了するまで、表示データの受信と表示を繰り返し（ＳＴ５０４のＮＯ、ＳＴ５０２、ＳＴ５０３）、表示データの受信が終了したら（ＳＴ５０４のＹＥＳ）、１時的不許可フラグを解除して、元の許可フラグに戻し（ＳＴ５０５）、再びアイドリング状態に戻る。
【００６４】
そして、本実施形態においては、該ミシンＭの操作部操作以外の駆動において表示される表示画面を表示する制御（該ミシンＭの縫製駆動時用表示制御）を行なう時においても、他のミシンＭからの表示装置２の利用に関する割り込みアクセス等を１時的に拒否する制御を行なう。
【００６５】
すなわち、図２に示すように、前記アイドリング中に、該ミシンＭの操作部操作以外の駆動において表示される表示画面に関する信号を受信したか否かを判断し（ＳＴ６）、受信していない場合には（ＳＴ６のＮＯ）、アイドリング状態における次の判断のステップ（ＳＴ８）に進む。
【００６６】
該ミシンＭの操作部操作以外の駆動において表示される表示画面に関する信号を受信した場合には（ＳＴ６のＹＥＳ）、図５に示す該ミシンＭの縫製駆動時用表示制御を行なう。
【００６７】
この該ミシンＭの縫製駆動時用表示制御においては、先ず、接続された他のミシンＭからの割り込み処理を防止すべく、該ミシンＭにおいて、許可フラグが立っているか否かを確認し（ＳＴ７０１）、許可フラグが立っている場合には（ＳＴ７０１のＹＥＳ）、受信設定手段としてのＣＰＵの制御により、１時的に他のミシンＭからのアクセスを拒否する１時的不許可フラグを立て（ＳＴ７０２）、次ステップ（ＳＴ７０３）に進む。
【００６８】
１方、該ミシンＭが不許可フラグを立てている場合には（ＳＴ７０１のＮＯ）、そのまま次ステップ（ＳＴ７０３）に進む。
【００６９】
そして、該ミシンＭの駆動用の表示データを受信し（ＳＴ７０３）、その表示データに基づいて、該ミシンＭのパネルのみで縫製駆動時用の表示画面の表示を行なう（ＳＴ７０４）。
【００７０】
表示データの送信を終了する旨の信号が入力されるまで、すなわち、表示データの受信が終了するまで、表示データの受信と表示を繰り返し（ＳＴ７０５のＮＯ、ＳＴ７０３、ＳＴ７０４）、表示データの受信が終了したら（ＳＴ７０５のＹＥＳ）、１時的不許可フラグが立っているか否かを確認し（ＳＴ７０６）、１時的不許可フラグが立っていなければ（ＳＴ７０６のＮＯ）、該ミシンＭの操作部操作用表示制御を終了させ、再び、アイドリング状態に戻る。
【００７１】
また、１時的不許可フラグが立っていれば（ＳＴ７０６のＹＥＳ）、１時的不許可フラグを解除して、元の許可フラグに戻し（ＳＴ７０７）、該ミシンＭの操作部操作用表示制御を終了させ、再び、アイドリング状態に戻る。
【００７２】
さらに、アイドリング状態においては、該ミシンＭの作動終了信号が入力されたか否かを判断する（ＳＴ８）。
【００７３】
この作動終了信号が入力されたら（ＳＴ８のＹＥＳ）、ミシンＭの主電源を切断する操作を行なう。
【００７４】
この作動終了命令が入力されていなければ（ＳＴ８のＮＯ）、再び操作部としてのパネルが操作されか否かを判断するステップＳＴ２へ戻り、該ミシンＭをアイドリング状態とする。
【００７５】
このように構成された本実施形態のミシンＭの画面表示システムにおいては、操作中のミシンにおける表示画面が複数画面に亘る場合には、表示制御部が当該操作中のミシンＭを転送元として、この転送元のミシンＭに接続される他のミシンＭを転送先としてそれぞれ設定してデータを転送し、他のミシンＭの表示装置のパネルを利用したマルチディスプレイを行なうことで、転送元のミシンＭのオペレータは、転送先のミシンＭの表示装置における表示部を利用して転送元のミシンの設定入力を行なうことができ、単一の画面の画面表示の切替操作が不要となり、操作部の操作時に同時に複数の表示画面を確認することができる。
【００７６】
さらに、各表示装置は独立して動作可能であり、必要なときに、複数パネル表示に切換えられるので、複数パネル表示を通常は必要としないユーザーであっても、複数台のミシンＭを持っていれば、ケーブル等の通信手段を用意すれば複数パネル表示が可能となり、コストパフォーマンスにも優れたものとなる。
【００７７】
なお、本発明は、前述した実施の形態に限定されるものではなく、必要に応じて種々の変更が可能である。
【００７８】
例えば、本実施形態においては、ミシンＭの画面表示に関する制御におけるアイドリング中における制御の監視順は前述の順番に限るものではない。
【００７９】
また、１時的不許可フラグの設定の制御をしなくてもよい。その場合には、他のミシンＭから、該表示装置２に設定されたフラグ状態を確認された際に、該ミシンＭにおいては許可フラグが立っている場合には、常に、自己のミシンＭの駆動状態に拘わらず、表示装置２は他のミシンＭの表示部として供されることになる。
【００８０】
さらに、本実施形態においては、表示用データの送受信が可能であるミシンＭの表示装置から、実際に該ミシンＭの表示用データの表示に供する表示装置を選択可能な制御としたが、表示用データの送受信が可能な全ミシンＭを用いた表示制御を常に行なうようにしてもよい。
【００８１】
なお、表示用データのうち、どのデータを殿ミシンＭの表示装置に表示させるかについても設定自在とする。このようなマルチディスプレイ方式の表示を実行するプログラムについては、現在公知とされているところの、１台のコンピュータに複数のモニタが接続された状態において実行されているマルチディスプレイ方式のプログラムシステムに準ずる。
【図面の簡単な説明】
【００８２】
【図１】本発明の実施形態におけるミシンの画面表示システムの基本構成を示す接続関係図
【図２】本発明の実施形態におけるミシンの画面表示システムにおける画面表示に関する制御のフローチャート（アイドリング状態）
【図３】本発明の実施形態におけるミシンの画面表示システムにおける画面表示に関する制御（該ミシンの操作部操作用表示制御）のフローチャート
【図４】本発明の実施形態におけるミシンの画面表示システムにおける画面表示に関する制御（他のミシンの操作部操作時用表示制御）のフローチャート
【図５】本発明の実施形態におけるミシンの画面表示システムにおける画面表示に関する制御（該ミシンの縫製駆動時用表示制御）のフローチャート
【符号の説明】
【００８３】
Ｍ  ミシン
１  通信手段
１ａ  ハブ
１ｂ  ケーブル
２  パネル
【図１】
2009136473.tif 000003
【図２】
2009136473.tif 000004
【図３】
2009136473.tif 000005
【図４】
2009136473.tif 000006
【図５】
2009136473.tif 000007